【手続補正書】
【提出日】平成27年7月31日(2015.7.31)
【手続補正１】
【補正対象書類名】特許請求の範囲
【補正対象項目名】全文
【補正方法】変更
【補正の内容】
【特許請求の範囲】
【請求項１】
物体側より像側へ順に配置された、正の屈折力の第１レンズ群、負の屈折力の第２レンズ群、正の屈折力の第３レンズ群、負の屈折力の第４レンズ群、正の屈折力の第５レンズ群からなり、
前記第１レンズ群は、物体側から像側へ順に配置された、負レンズ、正レンズ、正レンズからなり、
前記第２レンズ群は、物体側から像側へ順に配置された、負レンズ、負レンズ、正レンズからなり、
広角端から望遠端へのズ−ミングに際して、前記第１レンズ群と前記第２レンズ群の間隔が増大し、前記第２レンズ群と前記第３レンズ群の間隔が減少し、前記第３レンズ群と前記第４レンズ群の間隔が増大し、前記第４レンズ群と前記第５レンズ群の間隔が増大するように各レンズ群が移動するズームレンズであって、
広角端から望遠端へのズーミングにおける前記第２レンズ群と前記第４レンズ群の移動量を各々Ｍ２、Ｍ４、広角端と望遠端における前記第２レンズ群の横倍率を各々β２ｗ、β２ｔ、広角端と望遠端における全系の焦点距離を各々ｆｗ、ｆｔとするとき、
−１６．０＜Ｍ２／Ｍ４＜−１．８
０．２＜（β２ｔ／β２ｗ）／（ｆｔ／ｆｗ）＜０．５
なる条件式を満足することを特徴とするズ−ムレンズ。
【請求項２】
広角端から望遠端へのズーミングにおける前記第１レンズ群の移動量をＭ１とするとき、
−１．１＜Ｍ２／Ｍ１＜−０．４
なる条件式を満足することを特徴とする請求項１に記載のズ−ムレンズ。
【請求項３】
前記第１レンズ群と前記第４レンズ群の焦点距離を各々ｆ１、ｆ４とするとき、
−４．７＜ｆ１／ｆ４＜−２．６
なる条件式を満足することを特徴とする請求項１又は２に記載のズ−ムレンズ。
【請求項４】
広角端と望遠端における前記第２レンズ群の像面に対する光軸方向の位置敏感度を各々ｅｓ２ｗ、ｅｓ２ｔ、広角端と望遠端における前記第４レンズ群の像面に対する光軸方向の位置敏感度を各々ｅｓ４ｗ、ｅｓ４ｔとするとき、
−１５．８＜（ｅｓ２ｔ／ｅｓ２ｗ）／（ｅｓ４ｔ／ｅｓ４ｗ）＜−４．５
なる条件式を満足することを特徴とする請求項１乃至３のいずれか１項に記載のズ−ムレンズ。
【請求項５】
前記第１レンズ群、前記第２レンズ群の焦点距離を各々ｆ１、ｆ２とするとき、
６．５＜ｆ１／｜ｆ２｜＜１０．０
なる条件式を満足することを特徴とする請求項１乃至４のいずれか１項に記載のズ−ムレンズ。
【請求項６】
前記第２レンズ群、前記第４レンズ群の焦点距離を各々ｆ２、ｆ４とするとき、
０．３＜ｆ２／ｆ４＜０．６
なる条件式を満足することを特徴とする請求項１乃至５のいずれか１項に記載のズ−ムレンズ。
【請求項７】
広角端から望遠端へのズーミングに際して、前記第１レンズ群は物体側に凹状の軌跡で移動し、前記第２レンズ群は像側へ移動し、前記第３レンズ群と前記第４レンズ群は物体側へ移動し、前記第５レンズ群は移動することを特徴とする請求項１乃至６のいずれか１項に記載のズームレンズ。
【請求項８】
前記第２レンズ群と前記第３レンズ群の間に開口絞りを有し、該開口絞りは、広角端から望遠端へのズーミングに際して、各レンズ群と異なる軌跡で移動することを特徴とする請求項１乃至７のいずれか１項に記載のズームレンズ。
【請求項９】
前記第３レンズ群は、物体側から像側へ順に配置された、正レンズ、負レンズ、負レンズ、正レンズからなり、前記第４レンズ群は両凹形状の負レンズからなり、前記第５レンズ群は正レンズと負レンズを接合した接合レンズからなることを特徴とする請求項１乃至８のいずれか１項に記載のズームレンズ。
【請求項１０】
請求項１乃至９のいずれか１項に記載のズームレンズと、該ズームレンズによって形成された像を受光する撮像素子を有することを特徴とする撮像装置。
【手続補正２】
【補正対象書類名】明細書
【補正対象項目名】０００８
【補正方法】変更
【補正の内容】
【０００８】
本発明のズームレンズは、物体側より像側へ順に配置された、正の屈折力の第１レンズ群、負の屈折力の第２レンズ群、正の屈折力の第３レンズ群、負の屈折力の第４レンズ群、正の屈折力の第５レンズ群からなり、
前記第１レンズ群は、物体側から像側へ順に配置された、負レンズ、正レンズ、正レンズからなり、
前記第２レンズ群は、物体側から像側へ順に配置された、負レンズ、負レンズ、正レンズからなり、
広角端から望遠端へのズ−ミングに際して、前記第１レンズ群と前記第２レンズ群の間隔が増大し、前記第２レンズ群と前記第３レンズ群の間隔が減少し、前記第３レンズ群と前記第４レンズ群の間隔が増大し、前記第４レンズ群と前記第５レンズ群の間隔が増大するように各レンズ群が移動するズームレンズであって、
広角端から望遠端へのズーミングにおける前記第２レンズ群と前記第４レンズ群の移動量を各々Ｍ２、Ｍ４、広角端と望遠端における前記第２レンズ群の横倍率を各々β２ｗ、β２ｔ、広角端と望遠端における全系の焦点距離を各々ｆｗ、ｆｔとするとき、
−１６．０＜Ｍ２／Ｍ４＜−１．８
０．２＜（β２ｔ／β２ｗ）／（ｆｔ／ｆｗ）＜０．５
なる条件式を満足することを特徴としている。
【手続補正３】
【補正対象書類名】明細書
【補正対象項目名】００１１
【補正方法】変更
【補正の内容】
【００１１】
以下に、本発明の好ましい実施の形態を、添付の図面に基づいて詳細に説明する。本発明のズームレンズは、物体側より像側へ順に配置された、正の屈折力の第１レンズ群、負の屈折力の第２レンズ群、正の屈折力の第３レンズ群、負の屈折力の第４レンズ群、正の屈折力の第５レンズ群を有している。第１レンズ群の物体側又は第５レンズ群の像側の少なくとも一方に屈折力のあるレンズ群が配置されている場合もある。
【手続補正４】
【補正対象書類名】明細書
【補正対象項目名】００１２
【補正方法】変更
【補正の内容】
【００１２】
第１レンズ群は物体側から像側へ順に配置された、負レンズ、正レンズ、正レンズからなる。第２レンズ群は物体側から像側へ順に配置された、負レンズ、負レンズ、正レンズからなる。広角端から望遠端へのズーミングに際し、第１レンズ群と第２レンズ群の間隔が増大し、第２レンズ群と第３レンズ群の間隔が減少する。更に第３レンズ群と第４レンズ群の間隔が増大し、第４レンズ群と第５レンズ群の間隔が増大するように、各レンズ群が移動する。第５レンズ群を光軸上移動させてフォーカシングをするリアーフォーカス式を採用している。
【手続補正５】
【補正対象書類名】明細書
【補正対象項目名】００２５
【補正方法】変更
【補正の内容】
【００２５】
開口絞りＳＰはズーミングに際して各レンズ群と異なる軌跡で移動している。開口絞りＳＰをズーミングに際して移動させるときは広角端からズーム中間までは像側へ凸状の軌跡で移動し、ズーム中間から望遠端までは物体側に凸状の軌跡で移動するのが良い。この様に移動させることで第２レンズ群Ｌ２と第２レンズ群Ｌ３間の空間を有効利用することができて、レンズ全長の短縮と前玉有効径の小型化が容易になる。
【手続補正６】
【補正対象書類名】明細書
【補正対象項目名】００４９
【補正方法】変更
【補正の内容】
【００４９】
更に、各実施例のズ−ムレンズにおいて、諸収差のうち歪曲収差及び倍率色収差の補正を電気的な画像処理によって補正しても良い。更に、第３レンズ群に非球面を用いるのが良く、これによればズ−ム全域の球面収差を良好に補正することが容易になる。第３レンズ群Ｌ３は物体側から像側へ順に配置された、正レンズ、負レンズ、負レンズ、正レンズからなり、第４レンズ群Ｌ４は両凹形状の負レンズからなり、第５レンズ群Ｌ５は正レンズと負レンズを接合した接合レンズからなるのが良い。これによれば全ズーム範囲にわたり高い光学性能を得るのが容易になる。